(57)【要約】【課題】細幅の発光部を先端まで均一に発光させることができる車両用灯具を提供する。【解決手段】光源からの光を側縁側から入光する入光部と、入光部から導光された光を出射面側に内面反射する細幅の発光部と、が設けられた導光体を備えた車両用灯具であり、導光体の裏面側に複数の溝部が設けられ、少なくとも一つの溝部の底面に発光部が設けられ、隣り合う溝部間により第１の導光部が設けられるとともに、発光部より出射面側に第１の導光部と連続して第２の導光部が設けられている。【選択図】図１
2017228450.tif 000002
【特許請求の範囲】
【請求項１】
光源からの光を側縁側から入光する入光部と、前記入光部から導光された光を出射面側に内面反射する細幅の発光部と、が設けられた導光体を備えた車両用灯具であって、
前記導光体の裏面側に複数の溝部が設けられ、
少なくとも一つの前記溝部の底面に前記発光部が設けられ、
隣り合う前記溝部間により第１の導光部が設けられるとともに、前記発光部より前記出射面側に前記第１の導光部と連続して第２の導光部が設けられていることを特徴とする、車両用灯具。
【請求項２】
前記発光部及び前記第１の導光部が複数並列に設けられ、前記各第１の導光部の端部に対応する位置に前記光源がそれぞれ設けられていることを特徴とする請求項１に記載の車両用灯具。
【請求項３】
前記入光部には、前記光源と前記発光部及び前記第１の導光部との間の位置に、前記光源からの光を散乱させる散乱部が設けられている請求項１または２に記載の車両用灯具。
【請求項４】
前記発光部及び前記第１の導光部が湾曲して延びることを特徴とする請求項１乃至３のいずれか一つに記載の車両用灯具。
【請求項５】
前記第１の導光部に対応する裏面側には前記光源とは別の表示用光源が配設されていることを特徴とする請求項１乃至４のいずれか一つに記載の車両用灯具。
【発明の詳細な説明】
【技術分野】
【０００１】
本発明は車両用灯具に関する。
【背景技術】
【０００２】
従来、光源からの光を側縁側から入光させ、導光部により導光させつつ複数の細幅の発光部により表面側から出光させる車両用灯具が知られている。
特許文献１には、導光体の内面に複数の溝を形成し、導光体における溝の両側に導光部を設け、各導光部に反射ステップを設けるとともに導光部に対応する外面を出射面とする発光部を設けた車両用灯具が提案されている。
【先行技術文献】
【特許文献】
【０００３】
【特許文献１】特開２０１１−７６８５８号公報
【発明の概要】
【発明が解決しようとする課題】
【０００４】
しかしながら従来の車両用灯具では、発光部を細幅に設ける場合、導光部や反射部を細幅に設けると発光部の先端側まで十分な光量を導光し難くなり、細幅の発光部の先端側が暗くなり易かった。特に導光部や反射部が湾曲している場合には、途中で導光部から外部に出射され易く、先端側まで効率よく導光することができず、細幅の発光部を先端まで綺麗に発光させることが困難であった。
【０００５】
本発明は、このような従来の事情に鑑みて提案されたもので、細幅の発光部を先端まで均一に発光させることができる車両用灯具を提供することを目的とする。
【課題を解決するための手段】
【０００６】
上記目的を達成するため、本発明の一態様の車両用灯具は、光源からの光を側縁側から入光する入光部と、前記入光部から導光された光を出射面側に内面反射する細幅の発光部と、が設けられた導光体を備えた車両用灯具であって、前記導光体の裏面側に複数の溝部が設けられ、少なくとも一つの前記溝部の底面に前記発光部が設けられ、隣り合う前記溝部間により第１の導光部が設けられるとともに、前記発光部より前記出射面側に前記第１の導光部と連続して第２の導光部が設けられていることを特徴とする車両用灯具である。
【０００７】
この構成の車両用灯具によれば、導光体の裏面側に複数の溝部が設けられ、隣り合う溝部間に第１の導光部が設けられるとともに溝部の底面に発光部が設けられている。そのため第１の導光部の幅を発光部の幅に関わらず設定でき、発光部を細幅に設けても第１の導光部を太く設けることが可能である。
また溝部間に設けられた第１の導光部は発光部よりも出射面側の第２の導光部と連続しており、第１の導光部により導光される光は第２の導光部を経由して発光部に到達し、外部に出光する。そのため第１の導光部には発光部は存在せず、第１の導光部内で導光される光が過剰に外部に出光することを抑制でき、奥まで均一に導光することが可能である。
その結果、導光体に細幅の発光部を容易に設けることができるとともに、細幅の発光部を先端まで均一に発光させることができる車両用灯具を提供することが可能である。
【０００８】
上記の車両用灯具において、前記発光部及び前記第１の導光部が複数並列に設けられ、前記各第１の導光部の端部に対応する位置に前記光源がそれぞれ設けられている構成としてもよい。
【０００９】
この構成の車両用灯具によれば、複数の発光部が並列に設けられることで意匠性を向上できる。そして第１の導光部が複数並列に設けられ、各第１の導光部の端部に対応する位置に光源がそれぞれ設けられているので、各第１の導光部に光を与えて奥まで導くことができると同時に、複数の細幅の発光部を同等に発光させ易い。
【００１０】
上記の車両用灯具において、前記入光部には、前記光源と前記発光部及び前記第１の導光部との間の位置に、前記光源からの光を散乱させる散乱部が設けられている構成としてもよい。
【００１１】
この構成の車両用灯具によれば、光源からの光を散乱部で散乱させることで、第１及び第２の導光部と通過する光の分布を均一化することができる。すなわち、発光部の一部が局所的に明るくなることを抑制でき発光時の意匠性を向上できる。
【００１２】
上記の車両用灯具において、前記発光部及び前記第１の導光部が湾曲して延びる構成としてもよい。
【００１３】
この構成の車両用灯具によれば、第１の導光部に発光部が存在せず、第１の導光部の内で導光される光が過剰に外部に出光することを抑制して均一に奥まで導光できるため、発光部及び第１の導光部が湾曲していても奥まで導光して発光部を発光させることが可能である。すなわち、上記の構成によれば、発光部を奥まで発光させつつ、発光部を延在方向に湾曲させることで意匠性を高めることができる。
【００１４】
上記の車両用灯具において、前記第１の導光部に対応する裏面側には前記光源とは別の表示用光源が配設されている構成としてもよい。
【００１５】
この構成の車両用灯具によれば、第１の導光部の幅を発光部の幅に関わらず設けることができるため、光源とは別の表示用光源を視認性よく設けることが容易である。そのため発光部による意匠と、表示用光源による意匠とを組み合わせることで、より優れた意匠を実現することが可能である。
【発明の効果】
【００１６】
以上のように、本発明によれば、細幅の発光部を先端まで均一に発光させることができる車両用灯具を提供することができる。
【図面の簡単な説明】
【００１７】
【図１】第１実施形態に係る車両用灯具の点灯状態を示す概略正面図である。
【図２】図１に示す車両用灯具の導光体を正面側から見た斜視図である。
【図３】図１に示す車両用灯具のIII−III断面図である。
【図４】図１に示す車両用灯具のIV−IV断面図である。
【図５】第２実施形態に係る車両用灯具の点灯状態を示す概略正面図である。
【図６】図５に示す車両用灯具のVI−VI断面図である。
【図７】第３実施形態に係る車両用灯具を示す概略斜視図である。
【発明を実施するための形態】
【００１８】
以下、本発明の一実施形態である車両用灯具について図面を参照しながら説明する。
以下の説明で用いる図面は、特徴を分かり易くするために、便宜上特徴となる部分を拡大して示している場合があり、各構成要素の寸法比率などが実際と同じであるとは限らない。
【００１９】
［第１実施形態］
本実施形態の車両用灯具１０は、尾灯、制動灯などのリヤランプに適用した例である。
図１は、本実施形態に係る車両用灯具１０の点灯状態を示す概略正面図であり、図２は、図１に示す車両用灯具１０の導光体２０の斜視図であり、図３は、図１のIII−III断面図であり、図４は、図１のIV−IV断面図である。
なお、各図面には、適宜３次元直交座標系としてＸＹＺ座標系を示す。ＸＹＺ座標系において、Ｚ軸方向は上下方向（鉛直方向）であり、＋Ｚ方向が上方向である。また、Ｙ軸方向は前後方向であり、−Ｙ方向が車両用灯具１０の出射方向であり、＋Ｙ方向が裏面側である。さらに、Ｘ軸方向は、左右方向（幅方向）である。
【００２０】
車両用灯具１０は、光源１１と、光源１１からの光を側縁側から入光して複数の筋状に発光させる導光体２０と、を備えている。導光体２０には、光源１１からの光を側縁側から入光する入光部２１と、入光部２１から入光した光を導光して出射面２９側から細幅に出光させる発光部２３と、が設けられている。
【００２１】
光源１１は例えばＬＥＤ等からなる。本実施形態の光源１１は、複数設けられている。複数の光源１１は、それぞれ後述する複数の第１の導光部２５に光を供給する。
導光体２０は透光性を有する材料により一体に成形された成形体からなる。
導光体２０の表側（−Ｙ側）に位置する出射面２９は平坦面に形成され、裏面側（＋Ｙ側）には複数の溝部３１が形成されている。隣り合う溝部３１間により複数の第１の導光部２５が設けられている。
【００２２】
溝部３１及び溝部３１間に形成される第１の導光部２５は、入光部２１側から複数並列に設けられ、それぞれ平面視で弓形に湾曲して延在している。また、それぞれの第１の導光部２５は、入光部２１側で幅広に形成され、入光部２１から反対側の先端に向かって先細りの形状に形成されている。
【００２３】
溝部３１の深さは、導光体２０の出射面２９と溝部３１の底部３１ａとの間に導光可能な厚みを確保できる程度に形成されている。複数の溝部３１の底部３１ａより出射面２９側の厚み部分が第２の導光部２７を構成しており、第２の導光部２７が第１の導光部２５と境界なく連続して設けられている。すなわち、導光体２０の横断面（図３参照）は、溝部３１の底部３１ａを繋ぐ境界線ＢＬを境界として、出射面２９側に位置する第２の導光部２７と、その反対側に位置する第１の導光部２５と、に区分される。
【００２４】
複数の溝部３１の底部３１ａには発光部２３が設けられている。発光部２３は、第２の導光部２７側から入射した光を内面反射させる。発光部２３は、例えば、導光体２０の出射面２９から出射できる程度に底面をランダムに粗面化して形成することができる。また、発光部２３は、例えば溝部３１の底面に所定の凹凸形状を繰り返し設けたカット面であってもよい。また各溝部３１において入光部２１からの距離に応じてピッチ、密度又は粗度を変化させることで、各発光部２３を長手方向に均等に発光させるようにしてもよい。
【００２５】
入光部２１は、第１及び第２の導光部２５、２７に光源１１からの光を入光するために設けられている。図１に示すように、入光部２１では、複数の光源１１が各第１の導光部２５の端部に対向する位置にそれぞれ配置されている。各光源１１が各第１の導光部２５の端部に光を入光できるとともに第２の導光部２７の端部に光を入光できる位置に配置されているのがよい。
【００２６】
導光体２０内を通過する光Ｌの光路について、図１及び図３を基に説明する。
図１に示すように、光源１１から出射され、入光部２１において導光体２０の第１の導光部２５に入光した光Ｌは、第１の導光部２５内で内面反射しつつ先端側へ導光される。この光Ｌは、第１の導光部２５の延在方向に沿って導光するに従って、一部が順次第２の導光部２７を介して発光部２３に到達する。図３に示すように、発光部２３に到達した光Ｌは、発光部２３により出射面２９側に内面反射され、導光体２０の出射面２９から外部へ出射される。これにより複数の細幅の発光部２３が発光した状態の意匠を導光体２０の出射面２９に表示することができる。
【００２７】
以上のような車両用灯具１０によれば、溝部３１の底面に発光部２３が設けられているので、溝部３１を細く形成することで細幅の発光部２３を容易に形成できる。例えば溝部３１を成形型により形成する場合、成形型の溝部３１の形成部位は突出形状になるため、突出形状の先端に発光部２３に対応する加工を行えばよく、溝底面の奥まった位置を加工するのに比べ加工が容易である。
そして隣り合う溝部３１間に第１の導光部２５が設けられ、溝部３１の底面に発光部２３が設けられている。そのため第１の導光部２５の幅を発光部２３の幅に関わらず設けることができ、発光部２３を細幅に設けても第１の導光部２５の幅を十分に確保できる。
【００２８】
また溝部３１間に設けられた第１の導光部２５は発光部２３よりも出射面２９側に位置する第２の導光部２７と連続しており、第１の導光部２５により導光される光は第２の導光部２７を経由して発光部２３に到達して外部に出光する。そのため第１の導光部２５には発光部２３は存在せず、第１の導光部２５の内で導光される光が過剰に外部に出光することを抑制して奥まで均一に導光することが可能である。
その結果、導光体２０に細幅の発光部２３を容易に設けることができるとともに、細幅の発光部２３を先端まで均一に発光させることができる。
【００２９】
本実施形態の車両用灯具１０によれば、発光部２３及び第１の導光部２５が複数並列に設けられ、各第１の導光部２５の端部に対応する位置に光源１１がそれぞれ設けられているので、複数の発光部２３が並列に設けられることで意匠性を向上できる。
そして第１の導光部２５が複数並列に設けられ、各第１の導光部２５の端部に対応する位置に光源１１がそれぞれ設けられているので、各第１の導光部２５に光を与えて奥まで導くことができると同時に、複数の細幅の発光部２３を同等に発光させ易い。
【００３０】
本実施形態の車両用灯具１０によれば、発光部２３及び第１の導光部２５が湾曲して延びている。したがって、湾曲した線状に発光する意匠性の高い車両用灯具１０を実現できる。なお、従来湾曲した発光部を発光させる場合、導光体２０の先端まで光が届き難いという問題があった。本実施形態の車両用灯具１０は、第１の導光部２５に発光部２３が存在しないため第１の導光部２５の内で導光される光が過剰に外部に出光することを抑制して奥まで均一に導光できる。したがって、発光部２３及び第１の導光部２５が湾曲していても奥まで導光して発光部２３を発光させることが可能である。
【００３１】
本実施形態の車両用灯具１０によれば、第１の導光部２５が入光部２１から反対側の先端に向かって先細りの形状になっている。導光体２０の内部を通過する光は、導光体２０の長さ方向先端部に向かうに従って弱くなる。第１の導光部２５の先端部を先細りとすることで、先端部に近づくに従い発光部２３に入射する光の割合を増加させて、発光部２３を長手方向に沿って均一に発光させることができる。
【００３２】
［第２実施形態］
図５は、第２実施形態に係る車両用灯具１１０の点灯状態を示す概略正面図であり、図６は、図５のVI−VI断面図である。
第２実施形態の車両用灯具１１０では、第１の導光部２５に対応する裏面側に、直射ＬＥＤ等を用いた表示用光源１３が光源１１とは別に配設されている。ここでは例えば光源１１によりテールランプとして複数本の発行部を発光させて、表示用光源１３によりストップランプやウインカーランプなどを発光させている。
なお、上述の実施形態と同一態様の構成要素については、同一符号を付し、その説明を省略する。
【００３３】
このような車両用灯具１１０によれば、第１の導光部２５の幅を発光部２３の幅に関わらず設けることができ、また第１の導光部２５には発光部２３も設けられていない。そのため光源１１とは別の表示用光源１３を第１の導光部２５に配置しても視認性よく設けることが容易である。
そのため発光部２３による意匠と、表示用光源１３による意匠とを組み合わせることで、より優れた意匠を実現することが可能であり、例えば各ランプの発光領域が重複するようにリヤコンビネーションランプを実現することも可能である。
【００３４】
［第３実施形態］
図７は、第３実施形態に係る車両用灯具２１０を示す概略斜視図である。
第３実施形態の車両用灯具２１０は、第１実施形態と比較して、主に導光体２２０の入光部２２１の構成が異なる。
なお、上述の実施形態と同一態様の構成要素については、同一符号を付し、その説明を省略する。
【００３５】
入光部２２１は、光源１１からの光を第１及び第２の導光部２５、２７の側縁側から入光する。入光部２２１は、第１及び第２の導光部２５、２７の延在方向と直交する裏面側（＋Ｙ側）に延びる第３の導光部（散乱部）２３５と、第３の導光部２３５を通過する光を第１及び第２の導光部２５、２７の延在方向に内面反射させる傾斜面２３７と、を有する。
【００３６】
第３の導光部２３５の裏面側（＋Ｙ側）の端面２３５ａは、複数の光源１１と対向している。光源１１から出射された光は、端面２３５ａを介して第３の導光部２３５に入光する。第３の導光部２３５には、溝部が設けられていない。また、複数の第１及び第２の導光部２５、２７に一体的に、１つだけ設けられている。したがって、複数の光源１１から入光した光は、第３の導光部２３５を通過する光は、幅方向（Ｘ軸方向）に散乱し、幅方向に均一な光となる。すなわち、第３の導光部２３５は、入射した光の分布を均一にする散乱部として機能する。散乱された均一な光は、傾斜面２３７において内面反射して、第１及び第２の導光部２５、２７に導かれる。
【００３７】
本実施形態の車両用灯具２１０は、第１実施形態と同様の効果を奏することができる。
さらに導光体２０の第１の導光部２５及び第２の導光部２７の延長方向に対して、光源１１の配置位置を異ならせているので、車両用灯具２１０を車体に実装する際、側周囲に光源１１を配置するためのスペースを設ける必要がない。そのためコンパクトに配置できる。
【００３８】
またこの車両用灯具２１０によれば、光源１１からの光を散乱させる第３の導光部（散乱部）２３５が入光部２２１に設けられているので、光源１１からの光を散乱させ幅方向に均質な光としてから第１及び第２の導光部２５、２７に導くことができる。これにより、光源１１からの幅方向に沿う距離に依存して明るさに分布が生じることを抑制できる。すなわち、発光部の一部が局所的に明るくなることを抑制でき発光時の意匠性を向上できる。
【００３９】
以上に、本発明の様々な実施形態を説明したが、各実施形態における各構成及びそれらの組み合わせ等は一例であり、本発明の趣旨から逸脱しない範囲内で、構成の付加、省略、置換及びその他の変更が可能である。また、本発明は実施形態によって限定されることはない。
例えば導光体や導光体に設けられた溝部３１や第１の導光部２５等の形状や本数などは適宜変更可能である。上記では、複数本の発光部２３を発光させた例について説明したが、１本の発光部を発光させるものであっても本発明を同様に適用可能である。
また、上記の各実施形態では導光体２０、２２０が板状に形成され、出射面２９が平坦な面に形成された例について説明したが、導光体の形状や表面形状も適宜変更可能である。
また、上記の各実施形態では、発光部２３の幅は、長さ方向に沿って一様であったが、長さ方向に沿って変化させてもよい。
【符号の説明】
【００４０】
１０、１１０、２１０…車両用灯具
１１…光源
１３…表示用光源
２０、２２０…導光体
２１、２２１…入光部
２３…発光部
２５…第１の導光部
２７…第２の導光部
２９…出射面
３１…溝部
２３５…第３の導光部（散乱部）
２３７…傾斜面
【図１】
2017228450.tif 000003
【図２】
2017228450.tif 000004
【図３】
2017228450.tif 000005
【図４】
2017228450.tif 000006
【図５】
2017228450.tif 000007
【図６】
2017228450.tif 000008
【図７】
2017228450.tif 000009